(57)【要約】【課題】  空気調和機の節電除湿運転方法を提供する。【解決手段】  空気調和機の節電除湿運転方法として、空気調和機による室内除湿運転の際に、設定湿度と室内湿度との湿度差に基づき、圧縮機の駆動アルゴリズムに基づいて圧縮機の周波数を決めるステップと、上記の設定湿度と室内湿度との湿度差に基づき、室外ファンの駆動アルゴリズムに基づいて室外ファンの回転数を調節するステップとを有し、また、室内ファンの回転速度を、室内湿度と設定湿度との湿度差が略１０％範囲内に入ると弱風となり、上記の湿度差が１０％範囲を超えると強風となるように調整する方法とする。【選択図】      図２
2004233034.tif 000002
【特許請求の範囲】
【請求項１】
空気調和機による室内の除湿運転の際の節電除湿運転方法であって、
（ａ）空気調和機に取り付けられた室内湿度の検知センサにより室内湿度を検知し、前記室内湿度とコントローラにより設定される設定湿度とを比較して該室内湿度と設定湿度との湿度差を求めるステップと、
（ｂ）前記（ａ）のステップで求められた室内湿度と設定湿度との湿度差に基づき、室内ファンの回転速度を設定する室内ファンの速度設定ステップと、
（ｃ）前記（ａ）のステップで求められた室内湿度と設定湿度との湿度差に基づき、空気調和機の圧縮機の駆動アルゴリズムにより圧縮機の周波数を設定する圧縮機の周波数設定ステップと、
（ｄ）前記（ｃ）のステップで設定された圧縮機の周波数と前記室内湿度に基づき、空気調和機の室外ファンの駆動アルゴリズムにより室外ファンの回転速度を設定する室外ファンの速度設定ステップと、
（ｅ）前記（ｂ）乃至（ｄ）のステップで、前記の設定された回転速度及び周波数でそれぞれ室内ファン及び室外ファンと圧縮機とを駆動し、ユーザが快適な室内環境を感じられるように快適領域の状態の室内除湿と室内定温を継続して保持できるようにする室内ファン、室外ファン及び圧縮機の駆動ステップと、
を含むことを特徴とする空気調和機の節電除湿運転方法。
【請求項２】
前記快適領域の状態の室内除湿と室内定温を継続して保持できるように、室内の湿度が所定の快適範囲になる目標値に達したか否か及び室内が所定の定温を保持しているか否かを継続して判断し、室内の湿度が前記目標値に達し、かつ室内が前記所定の定温になるまで前記（ａ）乃至（ｅ）ステップを繰り返して行うフィードバック制御ステップを更に含むことを特徴とする請求項１に記載の空気調和機の節電除湿運転方法。
【請求項３】
前記室内ファンの回転速度は、室内湿度と設定湿度との湿度差が１０％以内の範囲内に入ると弱風とし、前記湿度差が１０％の範囲を超えると強風とすることを特徴とする請求項１に記載の空気調和機の節電除湿運転方法。
【請求項４】
前記圧縮機の駆動アルゴリズムは、
空気調和機に取り付けられた室内湿度の検知センサにより室内湿度を検知し、前記室内湿度とコントローラにより設定される設定湿度とを比較して該室内湿度と設定湿度との湿度差を検知された湿度差として求めるステップと、
前記湿度差を求めるステップによる室内湿度と設定湿度との間に検知された湿度差と前記空気調和機に設定された湿度差とを相互に比較して、前記検知された湿度差が前記設定された湿度差のどの範囲にあるかを判断する相互比較判断ステップと、
前記相互比較判断ステップで比較判断された湿度差（設定湿度-室内湿度）の範囲に相応する圧縮機の周波数を設定するステップと、
を含むことを特徴とする請求項１に記載の空気調和機の節電除湿運転方法。
【請求項５】
前記圧縮機の駆動アルゴリズムは、
前記検知された湿度差が３０％以上であるとき、前記圧縮機の周波数を圧縮機の第１の周波数（Ｆ５）にすることを基準にし、
前記検知された湿度差が２５％以上〜２９％以下の範囲に属する場合は、圧縮機の前記第１の周波数（Ｆ５）より１段階下の圧縮機の第２の周波数（Ｆ４）に設定し、
前記検知された湿度差が２０％以上〜２４％以下の範囲に属する場合は、圧縮機の前記第２の周波数（Ｆ４）より１段階下の圧縮機の第３の周波数（Ｆ３）に設定し、
前記検知された湿度差が１０％以上〜１９％以下の範囲に属する場合は、圧縮機の前記第３の周波数（Ｆ３）より１段階下の圧縮機の第４の周波数（Ｆ２）に設定し、
前記検知された湿度差が−５％以上〜９％以下の範囲に属する場合は、圧縮機の前記第４の周波数（Ｆ２）より１段階下の圧縮機の第５の周波数（Ｆ１）に設定し、
前記検知された湿度差が−６％以下である時は、前記圧縮機の周波数を０（ＯＦＦ）に設定することを特徴とする請求項１に記載の空気調和機の節電除湿運転方法。
【請求項６】
前記室外ファンの駆動アルゴリズムは、
前記圧縮機の駆動アルゴリズムによって設定された圧縮機の周波数が予め定められた設定値のどの値であり、前記空気調和機に取り付けられた室内湿度の検知センサにより検知された室内湿度が予め定められた設定値のどの範囲にあるかを前記の周波数及び室内湿度のそれぞれについて相互に比較して判断する相互比較判断ステップと、
前記相互比較判断ステップで比較判断された前記設定された圧縮機の周波数と前記室内湿度とを用いて快適な領域の室内除湿が行われるように前記設定された圧縮機の周波数と前記室内湿度とに相応する室外ファンの回転速度を設定するステップと、
を含むことを特徴とする請求項１に記載の空気調和機の節電除湿運転方法。
【請求項７】
前記室外ファンの駆動アルゴリズムは、
前記室内湿度が７５％以上で、前記設定された圧縮機の周波数がＦ１であるとき、室外ファンの回転数を１００％とすることを基準にし、
前記室内湿度が７５％以上であるときは、前記圧縮機の周波数がＦ２であると、室外ファンの回転数は９８％であり、前記圧縮機の周波数がＦ３であると、室外ファンの回転数は９６％であり、前記圧縮機の周波数がＦ４であると、室外ファンの回転数は９２％であり、前記圧縮機の周波数がＦ５であると、室外ファンの回転数は８６％であり、
前記室内湿度が６５％以上 〜７４％以下であるときは、前記圧縮機の周波数がＦ１であると、前記室外ファンの回転数は８５％であり、前記圧縮機の周波数がＦ２であると、前記室外ファンの回転数は８６％であり、前記圧縮機の周波数がＦ３であると、前記室外ファンの回転数は９０％であり、前記圧縮機の周波数がＦ４であると、前記室外ファンの回転数は８５％であり、前記圧縮機の周波数がＦ５であると、前記室外ファンの回転数は８０％であり、
前記室内湿度が５５％以上 〜６４％以下であるときは、前記圧縮機の周波数がＦ１であると、前記室外ファンの回転数は７０％であり、前記圧縮機の周波数がＦ２であると、前記室外ファンの回転数は７６％であり、前記圧縮機の周波数がＦ３であると、前記室外ファンの回転数は８１％であり、前記圧縮機の周波数がＦ４であると、前記室外ファンの回転数は７８％であり、前記圧縮機の周波数がＦ５であると、前記室外ファンの回転数は７５％であり、
前記室内湿度が４５％以上 〜５４％以下であるときは、前記圧縮機の周波数がＦ１であると、前記室外ファンの回転数は５４％であり、前記圧縮機の周波数がＦ２であると、前記室外ファンの回転数は６３％であり、前記圧縮機の周波数がＦ３であると、前記室外ファンの回転数は７１％であり、前記圧縮機の周波数がＦ４であると、前記室外ファンの回転数は７１％であり、前記圧縮機の周波数がＦ５であると、前記室外ファンの回転数は７０％であり、
前記室内湿度が４4％以下であるときは、前記圧縮機の周波数がＦ１であると、前記室外ファンの回転数は３９％であり、前記圧縮機の周波数がＦ２であると、前記室外ファンの回転数は５１％であり、前記圧縮機の周波数がＦ３であると、前記室外ファンの回転数は６３％であり、前記圧縮機の周波数がＦ４であると、前記室外ファンの回転数は６３％であり、前記圧縮機の周波数がＦ５であると、前記室外ファンの回転数は６３％であって、
前記圧縮機の周波数は前記湿度差の範囲に相応して設定され、前記圧縮機の周波数と室内湿度とに応じて別々の室外ファンの回転数が設定されることを特徴とする請求項１に記載の空気調和機の節電除湿運転方法。
【請求項８】
空気調和機による室内の除湿運転に際して、
設定湿度と室内湿度との湿度差に基づき、圧縮機の駆動アルゴリズムによって圧縮機の周波数を決めるステップと、
前記設定温度と室内温度との温度差に基づき、室外ファンの駆動アルゴリズムによって室外ファンの回転数を調節するステップと、
を含むことを特徴とする空気調和機の節電除湿運転方法。
【請求項９】
快適領域の状態の室内除湿と室内定温を継続して保持できるように、室内の湿度が所定の快適範囲になる目標値に達したか否か及び室内が所定の定温を保持しているか否かを継続して判断し、室内の湿度が前記目標値に達し、かつ室内が前記所定の定温になるまで前記圧縮機の周波数を決めるステップ及び室外ファンの回転数を調節するステップを繰り返して行うフィードバック制御ステップを更に含むことを特徴とする請求項８に記載の空気調和機の節電除湿運転方法。
【請求項１０】
室内ファンの回転速度は、室内湿度と設定湿度との湿度差が１０％の範囲内に入ると弱風とし、前記湿度差が１０％の範囲を超えると強風とすることを特徴とする請求項８に記載の空気調和機の節電除湿運転方法。
【請求項１１】
前記圧縮機の駆動アルゴリズムは、
空気調和機に取り付けられた室内湿度の検知センサにより室内湿度を検知し、前記室内湿度とコントローラにより設定される設定湿度とを比較して該室内湿度と設定湿度との湿度差を検知された湿度差として求めるステップと、
前記湿度差を求めるステップによる室内湿度と設定湿度との間の検知された湿度差と前記空気調和機に設定された湿度差とを相互に比較して、前記検知された湿度差が前記設定された湿度差のどの範囲にあるかを判断する相互比較判断ステップと、
前記湿度差の相互比較判断ステップで比較判断された湿度差（設定湿度-室内湿度）の範囲に相応する圧縮機の周波数を設定するステップと、
を含むことを特徴とする請求項８に記載の空気調和機の節電除湿運転方法。
【請求項１２】
前記圧縮機の駆動アルゴリズムは、
前記検知された湿度差が３０％以上であるとき、前記圧縮機の周波数を圧縮機の第１の周波数（Ｆ５）にすることを基準にし、
前記検知された湿度差が２５％以上〜２９％以下の範囲に属する場合は、圧縮機の前記第１の周波数（Ｆ５）より１段階下の圧縮機の第２の周波数（Ｆ４）に設定し、
前記検知された湿度差が２０％以上〜２４％以下の範囲に属する場合は、圧縮機の前記第２の周波数（Ｆ４）より１段階下の圧縮機の第３の周波数（Ｆ３）に設定し、
前記検知された湿度差が１０％以上〜１９％以下の範囲に属する場合は、圧縮機の前記第３の周波数（Ｆ３）より１段階下の圧縮機の第４の周波数（Ｆ２）に設定し、
前記検知された湿度差が−５％以上〜９％以下の範囲に属する場合は、圧縮機の前記第４の周波数（Ｆ２）より１段階下の圧縮機の第５の周波数（Ｆ１）に設定し、
前記検知された湿度差が−６％以下である時は、前記圧縮機の周波数を０（ＯＦＦ）に設定することを特徴とする請求項８に記載の空気調和機の節電除湿運転方法。
【請求項１３】
前記室外ファンの駆動アルゴリズムは、
前記圧縮機の駆動アルゴリズムによって設定された圧縮機の周波数が予め定められた設定値のどの値であり、前記空気調和機に取り付けられた室内湿度の検知センサにより検知された室内湿度が予め定められた設定値のどの範囲にあるかを前記の周波数及び室内湿度のそれぞれについて相互に比較して判断するステップと、
前記相互比較判断ステップで比較判断された前記設定された圧縮機の周波数と前記室内湿度とを用いて快適な領域の室内除湿が行われるように前記設定された圧縮機の周波数と前記室内湿度とに相応する室外ファンの回転速度を設定するステップと、
を含むことを特徴とする請求項８に記載の空気調和機の節電除湿運転方法。
【請求項１４】
前記室外ファンの駆動アルゴリズムは、
前記室内湿度が７５％以上で、前記設定された圧縮機の周波数がＦ１であるとき、室外ファンの回転数を１００％とすることを基準にし、
前記室内湿度が７５％以上であるときは、前記圧縮機の周波数がＦ２であると、室外ファンの回転数は９８％であり、前記圧縮機の周波数がＦ３であると、室外ファンの回転数は９６％であり、前記圧縮機の周波数がＦ４であると、室外ファンの回転数は９２％であり、前記圧縮機の周波数がＦ５であると、室外ファンの回転数は８６％であり、
前記室内湿度が６５％以上 〜７４％以下であるときは、前記圧縮機の周波数がＦ１であると、前記室外ファンの回転数は８５％であり、前記圧縮機の周波数がＦ２であると、前記室外ファンの回転数は８６％であり、前記圧縮機の周波数がＦ３であると、前記室外ファンの回転数は９０％であり、前記圧縮機の周波数がＦ４であると、前記室外ファンの回転数は８５％であり、前記圧縮機の周波数がＦ５であると、前記室外ファンの回転数は８０％であり、
前記室内湿度が５５％以上 〜６４％以下であるときは、前記圧縮機の周波数がＦ１であると、前記室外ファンの回転数は７０％であり、前記圧縮機の周波数がＦ２であると、前記室外ファンの回転数は７６％であり、前記圧縮機の周波数がＦ３であると、前記室外ファンの回転数は８１％であり、前記圧縮機の周波数がＦ４であると、前記室外ファンの回転数は７８％であり、前記圧縮機の周波数がＦ５であると、前記室外ファンの回転数は７５％であり、
前記室内湿度が４５％以上 〜５４％以下であるときは、前記圧縮機の周波数がＦ１であると、前記室外ファンの回転数は５４％であり、前記圧縮機の周波数がＦ２であると、前記室外ファンの回転数は６３％であり、前記圧縮機の周波数がＦ３であると、前記室外ファンの回転数は７１％であり、前記圧縮機の周波数がＦ４であると、前記室外ファンの回転数は７１％であり、前記圧縮機の周波数がＦ５であると、前記室外ファンの回転数は７０％であり、
前記室内湿度が４4％以下であるときは、前記圧縮機の周波数がＦ１であると、前記室外ファンの回転数は３９％であり、前記圧縮機の周波数がＦ２であると、前記室外ファンの回転数は５１％であり、前記圧縮機の周波数がＦ３であると、前記室外ファンの回転数は６３％であり、前記圧縮機の周波数がＦ４であると、前記室外ファンの回転数は６３％であり、前記圧縮機の周波数がＦ５であると、前記室外ファンの回転数は６３％であって、
前記圧縮機の周波数は前記湿度差の範囲に相応して設定され、前記圧縮機の周波数に応じて別々の室外ファンの回転数が設定されることを特徴とする請求項８に記載の空気調和機の節電除湿運転方法。
【発明の詳細な説明】
【技術分野】
【０００１】
本発明は、空気調和機の除湿運転方法に関し、特に、室外の負荷に対応して室内の不快要因である温度と湿度を快適領域の温度と湿度に保持するのみならず、圧縮機の運転を最適化し、空気調和機を駆動するに際しての所要電力を画期的に節減することができるようにする空気調和機の節電除湿運転方法に関する。
【背景技術】
【０００２】
一般に、除湿機能付き空気調和機は、室内に位置する室内熱交換部に凝縮器の役割を果たす熱交換器と蒸発器の役割を果たす熱交換器をそれぞれ配置して湿気の除去に重点をおいた装置である。
【０００３】
図１は、従来の空気調和機１を概略的に示す構造図である。
同図に示すように、従来の除湿機能付き空気調和機１は、冷媒を圧縮する圧縮部１０と、冷媒と室外空気との熱交換が行われるように熱交換器２１とファン２２が備えられている室外熱交換部２０と、第１の熱交換器３１と、第２の熱交換器３２と、第１の熱交換器３１と第２の熱交換器３２との間に位置する室内膨張部３３、３４が具備されている室内熱交換部３０と、室外熱交換部２０と室内交換部３０との間に位置する膨張部４０とからなっている。
【０００４】
より詳しく説明すると、圧縮部１０は、室外熱交換部２０または室内熱交換部３０から出力された低温低圧の気体冷媒を高温高圧の気体冷媒に変換する圧縮機１１と、圧縮機１１の吐き出し方向を設定する四方弁１２とを具備している。
ここで、四方弁１２は、圧縮機１１の吸い込み及び吐き出し配管を切り換えることにより、室内を冷却しようとする場合は、室内熱交換部３０を蒸発器として動作させ、室内を暖房しようとする場合は、室内熱交換部３０を凝縮器として動作させる。
勿論、これに対応して室外熱交換部２０は、それぞれ凝縮器、蒸発器として動作する。
なお、除湿機の用途として使用する場合が本説明の主な対象であるため、以下では、室外熱交換部２０は凝縮器として、室内熱交換部３０は蒸発器として動作するとする。
【０００５】
室外熱交換部２０は、圧縮部１０で生成された高温高圧の気体冷媒を中温高圧の液体冷媒に変換する手段であって、このために、凝縮器２１とファン２２を具備している。
膨張部４０は、室外熱交換部２０から出力される中温高圧の液体冷媒を低温低圧の液体冷媒に変換する手段であって、毛細管４１からなっており、これと並列に第１の弁４２を設け、この第１の弁４２により冷媒の毛細管４１の通過可否が決まる仕組みとなっている。このように、冷媒の毛細管４１の通過を制御するのは、除湿機として使用する場合、膨張部４０で膨張プロセスが行われてはならないので、この場合は、第１の弁４２を開状態にして冷媒が第１の弁４２を通るようにして膨張プロセスが行われないようにするためである。
【０００６】
このように膨張プロセスを経由しないで中温高圧状態である冷媒がそのまま室内熱交換部３０に流入する。室内熱交換部３０は、第１の熱交換器３１と、第２の熱交換器３２及びそれらの間に設けられる室内膨張部３３、３４と、室内ファン３５とからなっており、第１の熱交換器３１で凝縮作用がもう一回行われ、室内膨張部の室内膨張器３３で膨張プロセスが行われる。
【０００７】
このような膨張プロセスにより、上記の中温高圧の液体冷媒は、低温低圧の液体冷媒に変換され、第２の熱交換器３２で周りの熱を吸収し蒸発することにより低温低圧の気体冷媒に変換された後、再び圧縮部１０に流入する。
なお、除湿機としてではなく冷房機器として動作する場合は、膨張部４０で膨張プロセスが行われ、第１の熱交換器３１も第２の熱交換器３２と同様に蒸発器として動作するようになる。勿論、この際は、室内膨張部の第２の弁３４を開状態にし、室内膨張器３３が動作しないようにする必要がある。
【０００８】
このような構成を有する従来の除湿機能付き空気調和機１の動作を簡略に説明すると、次のとおりである。
第２の熱交換器３２では、冷媒の蒸発により温度が下がることにより周りの水分が結露し、このようにして結露した水分を外部に排水することにより除湿が行われる。勿論、このプロセスで室内の温度も下がり、これを抑えるために第１の熱交換器３１を凝縮器として動作するようにし、温度のバランスがとれるようにしている。
しかし、このような従来の技術による空気調和機は、設定湿度と室内湿度との湿度差と室外の負荷（室外環境）に関係することなく除湿運転を実行するために、圧縮機の運転が最適化できないのみならず、空気調和機を駆動するに際して所要電力が無駄遣いになるという大きな問題点がある。
【発明の開示】
【発明が解決しようとする課題】
【０００９】
本発明は、従来の空気調和機に関する上記の問題点に鑑みてなされたものであり、その目的は、設定湿度と室内湿度との湿度差に基づいて室内ファンと室外ファンの回転数を調節し、圧縮機の周波数を決めるようにすることにより、空気調和機において室外の負荷に対応して圧縮機の運転を最適化し、空気調和機を駆動するに際しての所要電力を画期的に節減することができる空気調和機の節電除湿運転方法を提供することである。
【課題を解決するための手段】
【００１０】
上記の目的を達成するための本発明に係る空気調和機の節電除湿運転方法は、空気調和機による室内の除湿運転において、
（ａ）空気調和機に取り付けられた室内湿度の検知センサにより室内の湿度を検知し、前記室内湿度と設定湿度（リモコン等のコントローラにより設定される湿度）とを比較して該室内湿度と設定湿度との湿度差を求めるステップと、
（ｂ）前記（ａ）ステップで求められた室内湿度と設定湿度との湿度差に基づき、室内ファンの回転速度を設定する室内ファンの速度設定ステップと、
（ｃ）前記（ａ）ステップで求められた室内湿度と設定湿度との湿度差に基づき、圧縮機の駆動アルゴリズムに基づいて圧縮機の周波数を設定する圧縮機の周波数設定ステップと、
（ｄ）前記（ｃ）ステップで求められた圧縮機の周波数と上記の室内湿度に基づき、室外ファンの駆動アルゴリズムに基づいて室外ファンの回転速度を設定する室外ファンの速度設定ステップ、及び
（ｅ）前記（ｂ）乃至（ｄ）ステップで設定された回転速度及び周波数でそれぞれ室内ファン及び室外ファンと圧縮機を駆動し、ユーザが快適な室内環境を感じられるように快適領域の状態の室内除湿と室内定温を継続して保持できるようにする室内ファン、室外ファン及び圧縮機の駆動ステップと、からなることを特徴とする。
【００１１】
また、前記快適領域の状態の室内除湿と室内定温を継続して保持できるように、室内の湿度が快適範囲にあるか否か及び室内が定温を保持しているか否かを継続して判断し、これを満たすまで前記（ａ）乃至（ｅ）ステップを繰り返して行うフィードバック制御ステップを更に含むことを特徴とする。
更に、前記室内ファンの回転速度は、室内湿度と設定湿度との湿度差が略１０％範囲内に入ると弱風とし、前記湿度差が１０％範囲を超えると強風とすることを特徴とする。
【発明の効果】
【００１２】
以上で説明したように、本発明に係る空気調和機１の節電除湿運転方法は、空気調和機において室外の負荷に対応して圧縮機、室内ファン、及び室外ファンの運転を最適化するという効果を奏する。
また、室外の負荷に対応して圧縮機、室内ファン、及び室外ファンを駆動して室内の除湿作用を行うため、従来の空気調和機に比べて消費電力が２０〜２５％程度軽減する節電運転を行なうことができるという効果を奏する。
【発明を実施するための最良の形態】
【００１３】
以下、添付した図面を参照して、本発明に係る空気調和機の節電除湿運転方法をより詳しく説明すると、次のとおりである。
図２は、本発明に係る空気調和機の節電除湿運転方法を示すフローチャートである。
本発明に係る空気調和機の節電除湿運転方法は、空気調和機１による室内の除湿運転の際に、
（ａ）空気調和機に取り付けられた室内湿度の検知センサにより室内湿度を検知し、この室内湿度と設定湿度（リモコン等のコントローラにより設定される湿度）とを比較してその湿度差を求めるステップと、
（ｂ）前記（ａ）ステップで求められた室内湿度と設定湿度との湿度差に基づき、室内ファンの回転速度を設定する室内ファンの速度設定ステップと、
（ｃ）前記（ａ）ステップで求められた室内湿度と設定湿度との湿度差に基づき、圧縮機の駆動アルゴリズムによって圧縮機の周波数を設定する圧縮機の周波数設定ステップと、
（ｄ）前記（ｃ）ステップで求められた圧縮機の周波数と室内湿度に基づき、室外ファンの駆動アルゴリズムによって室外ファンの回転速度を設定する室外ファンの速度設定ステップ、及び
（ｅ）前記（ｂ）乃至（ｄ）ステップで設定された回転速度及び周波数で室内ファン、室外ファン及び圧縮機を駆動し、ユーザが快適な室内環境を感じられるように快適領域の状態の室内除湿と室内定温を継続して保持できるようにする室内ファン、室外ファン及び圧縮機の駆動ステップと、からなる。
【００１４】
また、上記の快適領域の状態の室内除湿と室内定温を継続して保持できるように、室内の湿度が快適範囲にあるか否か及び室内が定温を保持しているか否かを継続して判断し、これを満たすまで上記の（ａ）乃至（ｅ）ステップを繰り返して行うフィードバック制御ステップを更に含む。
更に、上記の室内ファンの回転速度は、室内湿度と設定湿度との湿度差が略１０％範囲内に入ると弱風とし、前記湿度差が１０％範囲を超えると強風とする。
【００１５】
図２に示すように、まず、空気調和機１による室内の除湿運転の際に、空気調和機１に取り付けられた室内湿度の検知センサにより室内湿度を検知し、この室内湿度と設定湿度（リモコン等のコントローラにより設定される湿度）とを比較して湿度差（ΔＨ＝設定湿度-室内湿度）を求める（Ｓ２０１）。
また、室内ファンの回転速度は、ステップＳ２０１で求められた室内湿度と設定湿度との湿度差に基づいて設定されるが、上記の湿度差（ΔＨ）が１０％を超えるか否かを判断し（Ｓ２０２）、この湿度差が略１０％範囲を超えると、室内機ファンの回転速度を強風に設定し（Ｓ２０３）、湿度差が１０％以内の範囲内に入ると室内機ファンの回転速度を弱風に設定する（２０４）。
【００１６】
次いで、求められた室内湿度と設定湿度との湿度差に基づき、圧縮機の駆動アルゴリズムによって圧縮機１１の周波数を設定する除湿性を判断するサブルーチン処理を行う（Ｓ２０５）。
また、上記の圧縮機の周波数の設定後、定温性を判断するサブルーチン処理により室外ファン２２の回転数を決める（Ｓ２０６）。
上記のステップＳ２０２乃至ステップＳ２０６でそれぞれ圧縮機１１の周波数、室内ファン３５及び室外ファン２２の回転速度を設定し、この設定した値に基づき、圧縮機１１、室内ファン３５及び室外ファン２２を駆動し、ユーザが快適な室内環境を感じられるように快適領域の状態の室内除湿と室内定温を継続して保持できるようにする（Ｓ２０７）。
【００１７】
次いで、温度が定温を保持しているか否かを判断し（Ｓ２０８）、温度が定温を保持していると判断する場合は、湿度が目標値に達しているか否かを判断するステップ（Ｓ２０９）に進む。
しかし、定温を保持していないと判断する場合は、温度が定温を保持するまで再びステップＳ２０１乃至Ｓ２０７を繰り返して行なうようになる。
また、湿度が目標値に達しているか否かを判断し（Ｓ２０９）、目標値に達していないと判断する場合も、目標とした湿度に達するまで再びステップＳ２０１乃至Ｓ２０７を繰り返して行なうようになる。
【００１８】
このように、上記の室内の定温性及び室内の除湿性が目標値に達するように、室内ファン、室外ファン及び圧縮機を駆動するのみならず、フィードバックシステムにより室内の定温性及び室内の除湿の目標値に対する状態の監視を行い、これをいずれも満たすときに本発明に係る空気調和機の節電除湿運転方法を終了する。
【００１９】
図３は、本発明に係る空気調和機の節電除湿運転方法のうちの除湿性の判断に基づいて圧縮機の周波数を設定する圧縮機の駆動アルゴリズムを示すフローチャートである。
ここで、圧縮機の駆動アルゴリズムは、図２及び図３に示すように、空気調和機１に取り付けられた室内湿度の検知センサ（図示せず）により室内湿度を検知し、この検知された室内湿度と設定湿度（リモコン等のコントローラにより設定される湿度）とを比較してその室内湿度と設定湿度との間の湿度差を求めるステップと、この湿度差を求めるステップにより求めた室内湿度と設定湿度との湿度差と空気調和機１に設定された湿度差とを相互に比較し、検知された湿度差が設定された湿度差のどの範囲にあるかを判断する相互比較判断ステップと、この相互比較判断ステップで比較判断された湿度差（設定湿度-室内湿度）の範囲に相応する圧縮機１１の周波数を設定するステップと、からなっている。
【００２０】
これを表１と対比して説明すると、次のとおりである。
表１は、圧縮機の駆動アルゴリズムに基づき室内湿度と設定湿度（リモコンなどのコントローラにより設定される湿度）とを比較して求められた湿度差（ΔＨ）に基づいて圧縮機１１の周波数（Ｆ）が可変制御される状態を示すものであって、ΔＨは設定湿度-室内湿度として求めた湿度差であり、Ｆは圧縮機の回転周波数である。
【００２１】
【表１】
2004233034.tif 000003
【００２２】
また、表１及び図３を参照して、室内湿度と設定湿度との比較による湿度差（ΔＨ＝設定湿度-室内湿度）に基づいて圧縮機１１の周波数を可変制御する圧縮機の駆動アルゴリズムを詳細にみると、次のとおりである。
まず、湿度差、即ち、ΔＨが３０％以上であるとき、圧縮機１１の周波数を圧縮機の第１の周波数（Ｆ５）にすることを基準にし、湿度差が２５％以上〜２９％以下の範囲に属する場合は、圧縮機の上記の第１の周波数（Ｆ５）より１段階下の圧縮機の第２の周波数（Ｆ４）に設定する。
また、上記の湿度差（ΔＨ）が２０％以上〜２４％以下の範囲に属する場合は、圧縮機の上記の第２の周波数（Ｆ４）より更に１段階下の、圧縮機の第３の周波数（Ｆ３）に設定し、湿度差（ΔＨ）が１０％以上〜１９％以下の範囲に属する場合は、圧縮機の上記の第３の周波数（Ｆ３）より更に１段階下の、圧縮機の第４の周波数（Ｆ２）に設定する。
更に、上記の湿度差（ΔＨ）が−５％以上〜９％以下の範囲に属する場合は、圧縮機の上記の第４の周波数（Ｆ２）より更に１段階下の、圧縮機の第５の周波数（Ｆ１）に設定し、湿度差（ΔＨ）が−６％以下であるときは、圧縮機１１の周波数を０（ＯＦＦ）に設定する。
【００２３】
図４は、本発明に係る空気調和機の節電除湿運転方法のうちの定温性の判断に基づいて室外ファンの回転速度を設定する室外ファンの駆動アルゴリズムを示すフローチャートである。
室外ファンの駆動アルゴリズムは、図２及び図４に示すように、圧縮機の駆動アルゴリズムに基づいて設定され、可変制御された圧縮機の周波数と空気調和機１に取り付けられた室内湿度の検知センサにより検知された室内湿度とを、予め定められたそれぞれの設定値と相互に比較して、圧縮機の周波数がその設定値のどの値に該当し、また、検知された室内湿度がその設定値のどの範囲内にあるかを判断する比較判断ステップと、この比較判断ステップで比較判断された圧縮機の周波数と室内湿度とを用いて、快適な領域の室内除湿が行われるように可変制御された圧縮機の周波数と室内湿度に相応する室外ファン２２の回転速度を設定するステップと、からなっている。
【００２４】
これを表２と対比して説明すると、次のとおりである。
表２は、室外ファンの駆動のアルゴリズムによって、表１により設定された圧縮機１１の周波数と室内湿度に基づいて室外ファンの回転数が可変制御される状態を示すものであって、Ｆは圧縮機１１の周波数である。
【００２５】
【表２】
2004233034.tif 000004
【００２６】
表２及び図４を参照して、表１により設定された圧縮機の周波数と室内湿度に基づいて室外ファンの回転数を可変制御する室外ファンの駆動アルゴリズムを詳細にみると、次のとおりである。図４中で、例えば「Ｆａｎ＝９８」の表示は、室外ファンが基準に対して９８％の回転数となることを示す。
【００２７】
まず、室内湿度（Ｈ）が７５％以上で、表１により設定された圧縮機１１の周波数がＦ１であるとき、室外ファンの回転数を１００％とすることを基準にし、室内湿度が７５％以上であるときに、表１により設定された圧縮機の周波数がＦ２であると、室外ファンの回転数は９８％であり、圧縮機の周波数がＦ３であると、室外ファンの回転数は９６％であり、圧縮機の周波数がＦ４であると、室外ファンの回転数は９２％であり、圧縮機の周波数がＦ５であると、室外ファンの回転数は８６％である。
また、室内湿度が６５％以上〜７４％以下であるときには、表１により設定された圧縮機の周波数がＦ１であると、室外ファンの回転数は８５％であり、圧縮機の周波数がＦ２であると、室外ファンの回転数は８６％であり、圧縮機の周波数がＦ３であると、室外ファンの回転数は９０％であり、圧縮機の周波数がＦ４であると、室外ファンの回転数は８５％であり、圧縮機の周波数がＦ５であると、室外ファンの回転数は８０％である。
【００２８】
また、室内湿度が５５％以上〜６４％以下であるときには、表１により設定された圧縮機の周波数がＦ１であると、室外ファンの回転数は７０％であり、圧縮機の周波数がＦ２であると、室外ファンの回転数は７６％であり、圧縮機の周波数がＦ３であると、室外ファンの回転数は８１％であり、圧縮機の周波数がＦ４であると、室外ファンの回転数は７８％であり、圧縮機の周波数がＦ５であると、室外ファンの回転数は７５％である。
更に、室内湿度が４５％以上〜５４％以下であるときには、表１により設定された圧縮機の周波数がＦ１であると、室外ファンの回転数は５４％であり、圧縮機の周波数がＦ２であると、室外ファンの回転数は６３％であり、圧縮機の周波数がＦ３であると、室外ファンの回転数は７１％であり、圧縮機の周波数がＦ４であると、室外ファンの回転数は７１％であり、圧縮機の周波数がＦ５であると、室外ファンの回転数は７０％である。
【００２９】
また、室内湿度が４４％以下であるときには、表１により設定された圧縮機の周波数がＦ１であると、室外ファンの回転数は３９％であり、圧縮機の周波数がＦ２であると、室外ファンの回転数は５１％であり、圧縮機の周波数がＦ３であると、室外ファンの回転数は６３％であり、圧縮機の周波数がＦ４であると、室外ファンの回転数は６３％であり、圧縮機の周波数がＦ５であると、室外ファンの回転数は６３％であって、圧縮機の周波数は前記の湿度差の範囲に相応して設定され、圧縮機の周波数と室内湿度とに応じて別々の室外ファンの回転数が設定される。
【００３０】
このような、空気調和機の節電除湿運転を詳細に説明すると、次のとおりである。
ユーザが快適な室内環境を感じられる快適領域の状態の室内除湿を継続して保持できるようにするために、室内湿度と空気調和機１に設定された湿度との差の比較判断、即ち、空気調和機１に取り付けられた室内湿度検知センサ（図示せず）により室内湿度を検知し、この検知した室内湿度と設定湿度（リモコン等のコントローラにより設定される湿度）とを比較してその湿度差を求め、このようにして求められた室内湿度と設定湿度との湿度差に基づいて室内ファン３５の回転速度を設定するとともに、圧縮機の駆動アルゴリズムによって上記の室内湿度と設定湿度との湿度差と空気調和機１に設定された湿度差とを互いに比較判断し、この湿度差（設定湿度−室内湿度）に相応する圧縮機１１の周波数を設定する。
【００３１】
また、室外ファンの駆動アルゴリズムによって上記の室内湿度及び空気調和機１の圧縮機の周波数をそれぞれそれらの設定値に対して互いに比較して、室内湿度がその設定値に対してどの範囲にあり、圧縮機の周波数がその設定値のどの値になるかを判断し、この室内湿度と圧縮機の周波数に相応する室外ファン２２の回転速度を設定する。
このように可変制御された圧縮機１１の周波数を用いて快適領域の室内除湿を達成できるように室外ファンの駆動アルゴリズムによって可変制御された圧縮機１１の周波数と室内湿度に応じて室外ファン２２の回転速度を設定する。
そして、上記のように所定の回転速度及び周波数に設定された室外ファン２２及び室内ファン３５と圧縮機１１を駆動することにより、ユーザが快適な室内環境を感じられる快適領域の状態になるように室内除湿が行なわれ、室内の湿度が快適範囲にあるか否かを継続して判断し、上記のプロセスを繰り返して行なうようになる。
【図面の簡単な説明】
【００３２】
【図１】従来の空気調和機を概略的に示す構造図である。
【図２】本発明の空気調和機の節電除湿運転方法を示すフローチャートである。
【図３】本発明に係る空気調和機の節電除湿運転方法のうちの除湿性の判断に基づき、圧縮機の周波数を設定するステップを示すフローチャートである。
【図４】本発明に係る空気調和機の節電除湿運転方法のうちの定温性の判断に基づき、室外ファンの回転速度を設定するステップを示すフローチャートである。
【符号の説明】
【００３３】
１…空気調和機
１１…圧縮機
２２…室外ファン
３５…室内ファン
【図１】
2004233034.tif 000005
【図２】
2004233034.tif 000006
【図３】
2004233034.tif 000007
【図４】
2004233034.tif 000008